(57)【要約】【課題】出金トレイ上の硬貨を確実に検出する。【解決手段】本実施形態の硬貨処理装置は、払い出し口６から払い出された硬貨を受ける出金トレイ７と、この一側部に設けられ開口する発光側スリット８と、他側部に設けられ発光側スリットと相対向して開口する受光側スリット９と、発光側スリットへ投光し発光側スリットから相対向する受光側スリットへ光軸１４を形成する発光センサ１１と、受光側スリットに入る光を受ける受光センサ１２を備え、受光センサの出力にもとづいて出金トレイ内の硬貨Ｚを検出する残留硬貨光検出装置１０とを具備し、出金トレイの一側部は複数の発光側スリットを互いに所定の間隔を存して配置し、出金トレイの他側部は複数の受光側スリットを互いに所定の間隔を存して配置し、発光側スリットと受光側スリットの間隔を、出金トレイが受ける硬貨のうちの最小径硬貨Ｚａの直径にもとづいて定める。【選択図】    図３
2012160121.tif 000002
【特許請求の範囲】
【請求項１】
払い出し口から払い出された硬貨を受ける出金トレイと、
前記出金トレイの一側部に設けられ、開口する第１スリットと、
前記出金トレイの他側部に設けられ、前記第１スリットと相対向して開口する第２スリットと、
前記第１スリットもしくは第２スリットへ投光し、この投光されたスリットから相対向する第２スリットもしくは第１スリットへ光軸を形成する発光素子と、
前記発光素子からの光を受ける受光素子と、
前記受光素子の出力にもとづいて、前記出金トレイ内の硬貨を検出する硬貨光検出手段と、を具備し、
前記出金トレイの一側部は、複数の前記第１のスリットを互いに所定の間隔を存して配置し、かつ、前記出金トレイの他側部は、複数の前記第２のスリットを互いに所定の間隔を存して配置し、前記第１スリット相互の間隔と、前記第２スリット相互の間隔とを、前記出金トレイが受ける前記硬貨のうちの、最小径硬貨の直径にもとづいて定めた
ことを特徴とする硬貨処理装置。
【請求項２】
隣り合う前記第１スリット相互の外側縁間の間隔と、隣り合う前記第２スリット相互の外側縁間の間隔とを、前記出金トレイが受ける前記硬貨のうちの、最小径硬貨の直径以下に定めた
ことを特徴とする請求項１記載の硬貨処理装置。
【請求項３】
前記出金トレイは、前記払い出し口から払出された硬貨を受ける平坦な水平底面を備えていて、
前記第１スリットおよび前記第２スリットともに、その最下端部が前記出金トレイの水平底面と一致するよう設けた
ことを特徴とする請求項１および請求項２のいずれかに記載の硬貨処理装置。
【請求項４】
前記第１スリットおよび前記第２スリットそれぞれの最下端部から最上端部までの距離を、前記出金トレイが受ける硬貨のうちの、最小厚硬貨の厚さ以下に定めたことを特徴とする請求項３記載の硬貨処理装置。
【請求項５】
前記第１スリットおよび前記第２スリットは、前記発光素子から出た光が相対向するスリットのみに入光し、隣り合うスリットへは入光しない間隔を存して開口する
ことを特徴とする請求項１ないし請求項４のいずれかに記載の硬貨処理装置。
【請求項６】
前記出金トレイは、前記払い出し口から前記水平底面に向かって傾斜する傾斜面を有し、
前記傾斜面に最も近い側に設けられる前記第１スリットもしくは第２スリットは、前記払い出し口から払い出された硬貨が前記傾斜面から前記水平底面に亘って斜め姿勢にあるときでも、その硬貨を検出するよう、開口一部を遮光部材で覆った
ことを特徴とする請求項３および請求項４のいずれかに記載の硬貨処理装置。
【発明の詳細な説明】
【技術分野】
【０００１】
本発明の実施態様は、硬貨処理装置に関する。
【背景技術】
【０００２】
近年、スーパーマーケットやコンビニエンスストアなどのレジには、ＰＯＳ（販売時点情報管理）システムのような上位装置に接続する紙幣処理装置と、硬貨を投入できるとともに、受け取った硬貨から釣銭として出金する硬貨処理装置とが用いられる。
【０００３】
前記硬貨処理装置は、投入口に投入された硬貨を鑑別した後、内部に自動的に取り込み、硬貨を硬貨収納庫に収納し、入金情報を外部の上位装置に送信する硬貨保持機能を備える。さらに、外部上位装置からの釣銭払い出し要求に応じて、該当する金額の硬貨（釣銭）を硬貨収納庫から払い出し口へ払い出すリサイクル機能を備える。
【先行技術文献】
【特許文献】
【０００４】
【特許文献１】特許第４５５２８７１号公報
【発明の概要】
【発明が解決しようとする課題】
【０００５】
このような硬貨処理装置において、払い出し口から払い出された硬貨を受ける出金トレイが備えられる。この出金トレイへと払い出された硬貨は、人手によって取り出される。しかし、取り出しきれずに、出金トレイに硬貨が残留してしまうことがあり得る。
【０００６】
このような事情から、出金トレイ上の硬貨を確実に検出できることが望まれていた。
【課題を解決するための手段】
【０００７】
本実施形態では、払い出し口から払い出された硬貨を受ける出金トレイと、前記出金トレイの一側部に設けられ開口する第１スリットと、前記出金トレイの他側部に設けられ第１スリットと相対向して開口する第２スリットと、前記第１スリットもしくは第２スリットへ投光し投光されたスリットから相対向する第２スリットもしくは第１スリットへ光軸を形成する発光素子と、前記発光素子からの光を受ける受光素子と、この受光素子の出力にもとづいて出金トレイ内の硬貨を検出する硬貨光検出手段とを具備し、前記出金トレイの一側部は複数の第１のスリットを互いに所定の間隔を存して配置し、かつ、前記出金トレイの他側部は複数の第２のスリットを互いに所定の間隔を存して配置し、第１スリット相互の間隔と第２スリット相互の間隔とを、出金トレイが受ける硬貨のうちの最小径硬貨の直径にもとづいて定めた。
【図面の簡単な説明】
【０００８】
【図１】本実施形態に係る、硬貨処理装置の外観斜視図。
【図２】同実施形態に係る、硬貨処理装置の要部の斜視図。
【図３】同実施形態に係る、硬貨処理装置に設けられる出金トレイの概略の平面図。
【図４】同実施形態に係る、出金トレイにおける残留硬貨の検出状態を説明する図。
【図５】同実施形態に係る、発光側スリットの相互間隔を説明する図と、発光側スリット相互間隔に対する最小径硬貨の直径との関係を説明する図。
【図６】同実施形態に係る、発光側スリットの相互間隔に対する受光側スリットとの関係を説明する図。
【図７】同実施形態に係る、出金トレイにおける硬貨の払い出し状態を説明する図と、遮光部材を説明する図。
【発明を実施するための形態】
【０００９】
以下、本実施形態の硬貨処理装置を図面にもとづいて説明する。  
図１は硬貨処理装置の外観構成を示す斜視図であり、図２は硬貨処理装置の要部を拡大して示す斜視図である。
【００１０】
硬貨処理装置１は、前後方向と比較して左右幅方向に狭い長さで、所定の高さの筐体２を備えているが、この構成に限定されない。筐体２の上面で手前側右側部に、複数枚の硬貨を同時に投入可能な投入口３が設けられ、この投入口３の左側部にディスプレイ４および複数の操作ボタンを備えた操作パネル５が設けられる。
【００１１】
筐体２の前面のディスプレイ４に近接した位置には払い出し口６が設けられ、払い出し口６の下方部位には、後述する残留硬貨光検出装置（硬貨光検出手段）を備えた出金トレイ７が設けられる。また、前記投入口３に近接した位置に、一旦投入された硬貨を返却するための返却口（図示しない）が設けられる。
【００１２】
さらに筐体２内部には、金種別収納庫（図示しない）が備えられていて、前記投入口３に投入された硬貨は、筐体２内部で一時保留され、金額が確定された後に、前記金種別収納庫に金種別に収納される。そのときの投入金額は、前記ディスプレイ４に表示されるようになっている。
【００１３】
前記ディスプレイ４には投入金額および、硬貨処理装置１としての作動状態や操作指示なども表示できる。そして、払い出し口６からは釣銭として払い出しされる硬貨ばかりでなく、鑑別不能なリジェクト硬貨や、硬貨処理装置１内から回収された硬貨を、前記出金トレイ７へ排出できるように構成してもよい。
【００１４】
つぎに、硬貨処理装置１の払い出し口６から硬貨を受け取る出金トレイ７の形状構造と、ここに設けられる残留硬貨光検出装置１０について説明する。  
図３は出金トレイ７の平面図であり、図４は出金トレイ７に残留硬貨Ｚがある場合の、出金トレイ７の斜視図である。
【００１５】
出金トレイ７は、レジ担当者あるいは顧客等、払い出しを受ける者の手前側であり硬貨取り出し側となる前側斜面７ａと、前記払い出し口６に連なる後側斜面７ｂと、左右側面である左側斜面７ｃおよび右側斜面７ｄと、これら前後左右斜面７ａ〜７ｄの下端部を連結する平坦な水平底面７ｅとからなる。
【００１６】
前側斜面７ａと後側斜面７ｂおよび左右両側斜面７ｃ，７ｄは、全て上端から下端に向かって斜めに狭まる傾斜面に形成される。したがって、出金トレイ７として上端部が広い開口部となり、底部である水平底面７ｅと連結する部位の下端部が狭まっている。
【００１７】
実際に、払い出し口６から出金される硬貨は、出金トレイ７の後側斜面７ｂをシュートとして滑落し、水平底面７ｅ上に溜る。この状態で、出金トレイ７の前側斜面７ａと左右両側斜面７ｃ，７ｄは、払い出し口６から払い出された硬貨が跳ね返って外部へ落下することのない、適宜な深さ寸法をなす。
【００１８】
水平底面７ｅの左右幅寸法は、成人男子の片手の手指（親指を除く）に合わせて形成されていて、余裕を持って手指を挿入できる。そして、払い出された硬貨が散乱せず、ほぼ１塊りにまとまるような最適面積に設定される。前側斜面７ａの傾斜角度と傾斜長さは、水平底面７ｅから硬貨を容易、かつ確実に取り出せる最適値が選択される。
【００１９】
したがって、払い出しを受ける者は、出金トレイ７内の水平底面７ｅ上の硬貨を目視により確認し易く、親指を除く４本の手指を挿入し易く、手前側に掻き集めし易い。そして、掻き集めた硬貨を水平底面７ｅから前側斜面７ａを介して取り出し易い。すなわち、ここでの出金トレイ７は、人間工学的に最適形状構造をなすように設計製作されている。
【００２０】
それでもなお、出金トレイ７に残留硬貨が存在する場合に備えて、出金トレイ７には複数の発光側スリット（第１スリットもしくは第２スリット）８および受光側スリット（第２スリットもしくは第１スリット）９と、残留硬貨光検出装置（硬貨光検出手段）１０が備えられている。
【００２１】
特に図３に示すように、出金トレイ７を構成する左側斜面７ｃの最下部で水平底面７ｅと接する部位に、前後方向に所定間隔を存して複数（３個）の発光側スリット８が開口される。また、各発光側スリット８と相対向する部位である、右側斜面７ｄの最下部で水平底面７ｅと接する部位に、複数（３個）の受光側スリット９が開口される。
【００２２】
なお説明すると、発光側スリット８と受光側スリット９ともに、その最下端部が出金トレイ７の水平底面７ｅと一致するよう設けられる。この最下端部に対して上端部が平行、左右両側部が互いに平行であり、矩形状の開口部をなす。そして、上下方向寸法よりも左右幅方向寸法が、ある程度長く形成される。
【００２３】
これら発光側スリット８および受光側スリット９の形状は、必ずしも上述のように限定する必要はないが、左側斜面７ｃと右側斜面７ｄにおいて互いに同一位置に設け、同一形状をなすことで、設計製作上、有利となる。
【００２４】
このような出金トレイ７の左側斜面７ｃ外側の空間スペースに、発光センサ（発光素子）１１が配置され、その発光面を発光側スリット８に向けている。また、出金トレイ７の右側斜面７ｄ外側の空間スペースに、受光センサ（受光素子）１２が配置され、その受光面を受光側スリット９に向けている。
【００２５】
それぞれの発光センサ１１と受光センサ１２は、図示しないセンサ取付け板に支持され、制御部（図示しない）を介して上述したディスプレイ４に電気的に接続されている。このような３組の発光センサ１１と受光センサ１２で、前記残留硬貨光検出装置１０が構成されることになる。
【００２６】
前記発光センサ１１から発せられる光の光軸１４は、発光側スリット８を介して水平底面７ｅ上を進む。そして、光軸１４は水平底面７ｅを横断し、前記発光側スリット８と相対向する受光側スリット９に至り、この受光側スリット９を介して前記受光センサ１２に到達し、受光されるようになっている。
【００２７】
図４に示すように、出金トレイ７を極めて最適な形状構造にしてもなお、取り急ぎ等、何らかの事情で、ここに硬貨Ｚが残留する場合がある。このとき、いずれかの発光センサ１１から発光側スリット８を介して水平底面７ｅ上を進む光の光軸１４が残留硬貨Ｚによって遮られ、相対向する受光側スリット９および受光センサ１２には到達しない。
【００２８】
なお説明すると、払い出し口６から出金トレイ７へ硬貨が出金されると同時に、制御部は各発光センサ１１へ発光指示信号を送るので、これらは一斉に発光する。この光は発光側スリット８を介して水平底面７ｅ上を進むが、ここに存在する硬貨により遮られ受光センサ１２には到達しない。さらに制御部は、内蔵するタイマにカウント開始を指示する。
【００２９】
払い出しを受ける者は、出金トレイ７上の硬貨を目視して手指を挿入し、硬貨を取り出す。したがって、それまで硬貨によって遮られた光軸１４が受光側スリット９を介して受光センサ１２に至ることとなり、その受光センサ１２から制御部へ受光を確認する信号が送られる。
【００３０】
制御部は、タイマがカウントを開始してから所定の時間内で、全ての受光センサ１２が光軸１４を感知し、全ての受光センサ１２から確認信号を受けた状態で、出金トレイ７に出金された硬貨の全てが取り出されたものと判断する。そして、発光センサ１１への発光指示信号を断（オフ）にする。
【００３１】
タイマのカウントが所定時間を経過した後でもなお、いずれかの発光センサ１１からの光を相対向する受光センサ１２が受光できず、その受光センサ１２から制御部へ受光を確認する信号が送られてこない場合もある。
【００３２】
このとき制御部は、出金トレイ７に残留硬貨Ｚがあるものと判断し、ディスプレイ４に対して、たとえば「残留硬貨有り」の表示を指示する。もしくは、別途備えたランプを点滅するよう指示し、もしくは警報を発するよう制御信号を送る。いずれにしても、制御部は払い出しを受ける者の注意を引く制御をなす。
【００３３】
払い出しを受ける者は、ディスプレイ４の表示や、ランプの点滅もしくは警報を察知して、出金トレイ７に残留硬貨Ｚがあることを容易に認める。この残留硬貨Ｚを取り出すと、制御部は全ての受光センサ１２からの受光確認信号を受けることとなり、発光センサ１１への発光指示信号と、ディスプレイ４の表示および警報を、断とする。
【００３４】
さらに、発光側スリット８および受光側スリット９と、残留硬貨光検出装置１０および残留硬貨Ｚとの関係について説明する。なお、発光側スリット８と受光側スリット９は、互いに相対向して設けられ、それぞれの形状構造および相互間隔は全く同一であるので、以下、これらを総称して、「スリットＳ」と呼ぶ。
【００３５】
ここでスリットＳ相互の間隔は、出金トレイ７が受ける硬貨のうちの、最小径硬貨（たとえば、１円硬貨）の直径にもとづいて定められている。具体的には、以下に述べるように設定される。
【００３６】
図５（Ａ）は、隣り合うスリットＳ相互の間隔寸法設定を説明する図であり、図５（Ｂ）は残留硬貨Ｚのうちの、特に最小径硬貨Ｚａに対する隣り合うスリットＳ相互の間隔寸法設定を説明する図である。
【００３７】
図５（Ａ）に示すように、隣り合うスリットＳ相互の間隔寸法、詳しくは、一方のスリットＳの外側縁ａと、他方のスリットＳの外側縁ａとの間の寸法を、「Ｌ」とする。したがって、ここではスリットＳの外側縁ａから内側縁ｂまでの、スリットＳ自体の左右幅寸法については言及していない。
【００３８】
さらに、スリットＳの高さ寸法、詳しくは、それぞれのスリットＳの最下端部から上端部までの寸法を、「ｆ」とする。上述したように、スリットＳの最下端部は出金トレイ７の水平底面７ｅと一致していて、スリットＳの高さ寸法ｆは出金トレイ７の水平底面７ｅが基準となる。
【００３９】
一方、図５（Ｂ）に示すように、硬貨処理装置１が扱う硬貨のうちで最小径の硬貨Ｚａの直径を、「φＤ」とし、その厚み寸法を、「ｔ」とする。我が国において、最小径硬貨は、「１円」であるので、その直径は２０ｍｍ、厚みは約１．５ｍｍである。
【００４０】
ここでは、スリットＳ相互の間隔寸法Ｌは、最小径硬貨Ｚａの直径φＤ以下（Ｌ  ＜  φＤ）に定められる。１円を基準にした場合、スリットＳ相互の間隔寸法Ｌを、たとえば１８．５ｍｍに設定する。  
また、スリットＳの高さ寸法ｆは、最小径硬貨Ｚａの厚み寸法ｔよりも小（ｆ＜  ｔ）に定められる。１円を基準にした場合、スリットＳの高さ寸法ｆを、たとえば１．３ｍｍに設定する。
【００４１】
このことにより、最小径硬貨Ｚａが１枚だけ出金トレイ７に残留した場合でも、隣り合うスリットＳのうちの、少なくとも、いずれか一方のスリットＳを完全遮蔽し、発光センサ１１からの光軸１４を遮り、残留硬貨の検出を確実なものとする。当然ながら、残留硬貨の位置によっては両方のスリットＳを遮蔽し、残留硬貨をより確実に検出できる。
【００４２】
また、スリットＳの高さ寸法ｆを最小径硬貨Ｚａの厚み寸法ｔよりも小さく定めたので、スリットＳの高さ方向の全ては最小径硬貨Ｚａによって完全に遮られることとなり、残留硬貨をより確実に検出できる。
【００４３】
以上述べた寸法設定のうえで、さらに以下に説明する条件を備える。  
すなわち、発光側スリット８と受光側スリット９との間に、ある程度の長い距離が存在する。したがって発光側スリット８から出た光の光束が、そのままの太さ（直径もしくは断面積）で受光側スリット９に到達することはなく、ある程度は太くなった光束となる。
【００４４】
スリットＳの外側縁ａを基準として、隣り合うスリットＳ相互の間隔Ｌの条件は満足したうえで、スリットＳの内側縁ｂを必要以上に長く延長することが考えられる。すなわち、スリットＳの外側縁ａを基準として、左右幅寸法が大になり、隣り合うスリットＳの内側縁ｂ相互の間隔寸法「Ｍ」が極端に狭くなる。
【００４５】
この場合、発光側スリット８から出た光束が受光側スリット９に到達した状態で太くなり、相対向する受光側スリット９ばかりでなく、隣り合う受光側スリット９まで到達し、このスリットに対向する受光センサ１２に感知されてしまう。したがって、本来、硬貨に遮られ光を感知しないはずの受光センサ１２までが、光を感知してしまう。
【００４６】
以上の不具合を防止するために、複数の発光側スリット８および複数の受光側スリット９は、発光センサ１１から発光側スリット８を介して出た光が相対向する受光側スリット９のみに入光し、隣り合う受光側スリット９へは入光しない間隔を存して開口する、ことの条件を満たすよう構成する。
【００４７】
上述したような不具合を防止するためには、以下の条件も備える。  
図６は、残留硬貨光検出装置１０および出金トレイ７の構成を模式的に示す平面図である。  
複数の発光側スリット８と、複数の受光側スリット９が、互いに相対向するよう所定間隔を存して設けられ、発光側スリット８に対向して発光センサ１１が取付けられ、受光側スリット９に対向して受光センサ１２が取付けられることは、変りがない。
【００４８】
しかしながら、少なくとも発光側スリット８の開口面積を必要以上に大きく設定すると、図に二点鎖線で示すように光束が拡大して、相対向する受光側スリット９ばかりでなく、隣り合う受光側スリット９に入光してしまう。結果として、上述のような誤検出の原因となる。
【００４９】
そこで、発光側スリット８の開口面積を縮小し、発光センサ１１から発光側スリット８を介して出た光が相対向する受光側スリット９のみに入光し、隣り合う受光側スリット９へは入光しないように設定する。すなわち、発光側スリット８の開口面積を絞る、ことの条件を満たすよう構成する。
【００５０】
上述したように出金トレイ７は、払い出し口６から水平底面７ｅに向かって傾斜面である後側斜面７ｂが形成されていて、払い出し口６から払い出された硬貨が後側斜面７ｂをシュートとして滑り落ち水平底面７ｅに溜る。
【００５１】
硬貨の枚数が少ない場合は勿論のこと、多い場合であっても、そのほとんどは水平底面７ｅに到達して完全に載り、残留硬貨光検出装置１０の検出対象となる。しかるに、硬貨の枚数が少なくても何らかの原因で、あるいは多い場合は、最後尾の硬貨は一端が水平底面７ｅに載り、他端は後側斜面７ｂの曲面部に載って、斜め姿勢となることがある。
【００５２】
この状態を、図７（Ａ）に示す。すなわち、出金トレイ７に払い出されたが、一端が水平底面７ｅに載り、他端が後側斜面７ｂの曲面部に載る硬貨Ｚｂの場合がある。その一方で、後側斜面７ｂに近い部位の水平底面７ｅ上に発光側スリット８と、この発光側スリット８と相対向して受光側スリット９が設けられている。
【００５３】
上述のように斜め姿勢にある硬貨Ｚｂが、発光側スリット８と受光側スリット９との間に介在した場合、この硬貨Ｚｂは全面的に水平底面７ｅに接触せず、水平底面７ｅとは斜めに間隙を存している。そのため、発光側スリット８から出た光が斜め姿勢の硬貨Ｚｂに当ったとしても、その硬貨Ｚｂによって完全に遮られることはない。
【００５４】
一部の光は斜め姿勢の硬貨Ｚｂ下面と水平底面７ｅとの間の隙間を透過して受光側スリット９に到達し、受光センサ１２に受光されてしまう。極めて高精度の受光センサ１２であれば光量の低下を感知でき、硬貨Ｚｂの存在を検出できるが、通常持ちいられる一般的な受光センサ１２ではその判別は困難であり、硬貨Ｚｂの存在を検出できない。
【００５５】
そこで、図７（Ｂ）に示すように、後側斜面７ｂに最も近い側に設けられる発光側スリット８のみは、この開口一部を遮光部材１５で覆うよう構成する。なお説明すると、遮光部材１５は後側斜面７ｂ側に高く、発光側スリット８の最上端位置にある。その一方で、水平底面７ｅ側に低く、ほとんど最下端位置にあり、傾斜状をなす。
【００５６】
したがって、出金トレイ７に払い出された状態で、一端部が水平底面７ｅに載り、他端部が後側斜面７ｂの曲面部に載る斜め姿勢の硬貨Ｚｂがあったとしても、本来生じる硬貨Ｚｂと水平底面７ｅとの間の隙間が、予め遮光部材１５で覆われるうえに、残りの部分が硬貨Ｚｂによって光を遮断される。すなわち、残留硬貨の検出が確実に行われる。  
なお、開口一部を遮光部材１５で覆うのは、後側斜面７ｂに最も近い側に設けられる受光側スリット９のみであってもよい。
【００５７】
このように本実施形態によれば、複数の発光側スリット８および、複数の受光側スリット９相互の間隔を、出金トレイ７が受ける硬貨のうちの、最小径硬貨Ｚａの直径にもとづいて定めるので、必要以上に残留硬貨光検出装置１０の構成部品数を多くすることがなく、しかも出金トレイ７を最適な形状構造として、取り扱い性の向上を得られる。
【００５８】
本実施形態における硬貨処理装置は、スーパーマーケットやコンビニエンスストアなどで用いられるＰＯＳ（販売時点情報管理）システムのような上位装置に接続し、紙幣処理装置とともに受け取った硬貨を釣銭として出金する硬貨処理装置として説明したが、これに限定されるものではない。
【００５９】
たとえば、自動販売機としての釣銭払い出し部に用いることも可能であり、あるいは、駅等の自動券売機における釣銭払い出し部に用いることも可能である。その他、硬貨を出金する装置全てに適用できる。
【００６０】
また、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６１】
３…投入口、６…払い出し口、７…出金トレイ、８…発光側スリット（第１スリットもしくは第２スリット）、９…受光側スリット（第２スリットもしくは第１スリット）、１４…光軸、１１…発光センサ（発光素子）、１２…受光センサ（受光素子）、Ｚ…残留硬貨、１０…残留硬貨光検出装置（硬貨光検出手段）、Ｚａ…最小径硬貨・最小厚硬貨、７ｅ…水平底面、７ｂ…後側斜面（傾斜面）、１５…遮光部材、７ａ…前側斜面。
【図１】
2012160121.tif 000003
【図２】
2012160121.tif 000004
【図３】
2012160121.tif 000005
【図４】
2012160121.tif 000006
【図５】
2012160121.tif 000007
【図６】
2012160121.tif 000008
【図７】
2012160121.tif 000009